(57)【要約】【課題】アンテナの特性維持及び保護に関して部品点数を削減できる携帯電子機器を提供する。【解決手段】携帯電話機１は、第１筐体３と、第１筐体３内に配設されたメイン基板２３と、メイン基板２３のフロントケース１１側の面（第１実装面２３ａ）に被せられたシールドケース２１とを有する。また、携帯電話機１は、シールドケース２１におけるフロントケース１１側の面に配設されたスイッチ４１と、スイッチ４１のフロントケース１１側の面に被せられたキーシート１９とを有する。さらに、携帯電話機１は、メイン基板２３のシールドケース２１の外方に位置するアンテナ配置領域２３ｃにおけるリアケース１５側の面に実装されたアンテナ３１を有する。そして、キーシート１９は、アンテナ配置領域２３ｃまで延出する延出部１９ｃを有している。【選択図】図５
2010081518.tif 000002
【特許請求の範囲】
【請求項１】
筐体と、
前記筐体内に配設された回路基板と、
前記回路基板の一方側の面に被せられたシールドケースと、
前記シールドケースにおける前記一方側の面に配設されたキースイッチと、
前記キースイッチの前記一方側の面に被せられ、弾性を有するキーシートと、
前記回路基板の前記シールドケースの外方に位置するアンテナ配置領域における他方側の面に実装されたアンテナと、
を有し、
前記キーシートは、前記アンテナ配置領域まで延出する延出部を有している
携帯電子機器。
【請求項２】
前記延出部は、前記アンテナ配置領域の前記一方側の面に当接している
請求項１に記載の携帯電子機器。
【請求項３】
前記シールドケースには、前記アンテナ配置領域を露出させる切り欠き部が形成され、
前記延出部は、前記切り欠き部に嵌合している
請求項１又は２に記載の携帯電子機器。
【請求項４】
前記筐体は、前記延出部の前記一方側の面に当接している
請求項１〜３のいずれか１項に記載の携帯電子機器。
【請求項５】
前記延出部及び前記筐体の一方には凹部が形成され、
前記延出部及び前記筐体の他方には前記凹部に嵌合する凸部が形成されている
請求項４に記載の携帯電子機器。
【請求項６】
前記筐体は、前記回路基板の外周を囲む壁部を構成するケース部材を有し、
前記壁部の前記一方側の頂面には当該壁部に沿って延びる溝部が形成されており、
前記キーシートは、遮水性を有するとともに、当該キーシートの外周に沿って延び、前記溝部に圧入されたパッキン部を有する
請求項１〜５のいずれか１項に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
回路基板と、回路基板に積層されたシールドケースと、回路基板に実装されたアンテナとを有する携帯電子機器が知られている（例えば特許文献１）。シールドケースは、回路基板の電子部品をシールドし、携帯電子機器からの電磁波の放射、若しくは、携帯電子機器への電磁波の侵入、又は、その双方を抑制する。また、シールドケースは、回路基板等を強度的に補強する。
【０００３】
しかし、シールドケースは、導電性を有することから、シールドケースが回路基板に実装されたアンテナと重なると、アンテナ特性の低下が生じる。しかし、回路基板のアンテナ配置領域がシールドケースの外方に位置すると、アンテナ配置領域の保護、ひいては、アンテナの保護が図られない。
【０００４】
そこで、特許文献１の技術では、シールドケースの、アンテナと重なる領域を切り欠き、当該切り欠いた部分に、非導電性部材を配置している。これにより、特許文献１の技術は、アンテナ特性の維持及びアンテナの保護を実現している。
【特許文献１】特開２００６−２３８２０４号公報
【発明の開示】
【発明が解決しようとする課題】
【０００５】
しかし、特許文献１の技術は、シールドケースの切り欠き部に配置される非導電性部材を必要とすることから、部品点数の増加を招いている。
【０００６】
本発明の目的は、アンテナの特性維持及び保護に関して部品点数を削減できる携帯電子機器を提供することにある。
【課題を解決するための手段】
【０００７】
本発明の携帯電子機器は、筐体と、前記筐体内に配設された回路基板と、前記回路基板の一方側の面に被せられたシールドケースと、前記シールドケースにおける前記一方側の面に配設されたキースイッチと、前記キースイッチの前記一方側の面に被せられ、弾性を有するキーシートと、前記回路基板の前記シールドケースの外方に位置するアンテナ配置領域における他方側の面に実装されたアンテナと、を有し、前記キーシートは、前記アンテナ配置領域まで延出する延出部を有している。
【０００８】
好適には、前記延出部は、前記アンテナ配置領域の前記一方側の面に当接している。
【０００９】
好適には、前記シールドケースには、前記アンテナ配置領域を露出させる切り欠き部が形成され、前記延出部は、前記切り欠き部に嵌合している。
【００１０】
好適には、前記筐体は、前記延出部の前記一方側の面に当接している。
【００１１】
好適には、前記延出部及び前記筐体の一方には凹部が形成され、前記延出部及び前記筐体の他方には前記凹部に嵌合する凸部が形成されている。
【００１２】
好適には、前記筐体は、前記回路基板の外周を囲む壁部を構成するケース部材を有し、前記壁部の前記一方側の頂面には当該壁部に沿って延びる溝部が形成されており、前記キーシートは、遮水性を有するとともに、当該キーシートの外周に沿って延び、前記溝部に圧入されたパッキン部を有する。
【発明の効果】
【００１３】
本発明によれば、アンテナの特性維持及び保護に関して部品点数を削減できる。
【発明を実施するための最良の形態】
【００１４】
図１は、本発明の実施形態に係る携帯電話機１の外観を閉状態で示す斜視図である。
【００１５】
携帯電話機１は、いわゆる折り畳み式の携帯電話機として構成されており、開状態と閉状態との間で互いに回動可能に連結された第１筐体３及び第２筐体５を有している。図１は、第１筐体３及び第２筐体５が重ね合わされる閉状態を示している。第１筐体３及び第２筐体５は、それぞれ概ね薄型直方体状に形成されている。
【００１６】
図２は、第１筐体３の分解斜視図である。また、図３（ａ）は、図２のＩＩＩａ−ＩＩＩａ線における第１筐体３の模式的な断面図である。図３（ｂ）は、図３（ａ）の領域ＩＩＩｂの拡大図である。図３（ｃ）は、図３（ａ）の領域ＩＩＩｃの拡大図である。
【００１７】
なお、以下では、第１筐体３の、閉状態において第２筐体５と対向する側（図２及び図３の紙面上方側）及びその背面側を、正面側及び背面側ということがある。
【００１８】
携帯電話機１は、第１筐体３の正面側部分を構成するフロントケース１１と、第１筐体３の内部側部分を構成するインナーケース１３と、第１筐体３の背面側部分を構成するリアケース１５及び蓋体１７とを有している。
【００１９】
また、携帯電話機１は、第１筐体３内部において、フロントケース１１側から順に積層的に配置された、キーシート１９、フレキシブルプリント配線板（ＦＰＣ）４３（図３（ａ））、シールドケース２１、メイン基板２３、サブ基板アセンブリ２５（図２）、及び、バッテリ２７を有している。
【００２０】
インナーケース１３は、概ね、フロントケース１１側が開放された箱体状に形成されており、メイン基板２３等の背面側に対向する背面部１３ｖ（図２）と、背面部１３ｖの周縁においてフロントケース１１側に立設された壁部１３ｗとを有している。背面部１３ｖには、バッテリ２７を出し入れするための開口部が形成されている。
【００２１】
フロントケース１１は、概ね、インナーケース１３側が開放された、インナーケース１３よりも薄い箱体状に形成されている。フロントケース１１は、インナーケース１３に対して正面側から被せられ、インナーケース１３の正面側を覆うとともに、壁部１３ｗの正面側部分を囲む。
【００２２】
リアケース１５は、概ね、インナーケース１３側が開放された、インナーケース１３よりも薄い箱体状に形成されている。リアケース１５の背面側には、バッテリ２７を出し入れするための開口部が形成されている。リアケース１５は、インナーケース１３に対して背面側から被せられ、インナーケース１３の背面側を覆うとともに、壁部１３ｗの背面側部分を囲む。
【００２３】
蓋体１７は、リアケース１５の背面側の開口と概ね同様の形状及び大きさを有する概ね板状に形成されている。蓋体１７は、リアケース１５の背面側の開口内に配置され、インナーケース１３の背面部１３ｖの開口を塞ぐ。
【００２４】
フロントケース１１、インナーケース１３、リアケース１５及び蓋体１７は、例えば、主として非導電性の樹脂によりそれぞれ成形されている。フロントケース１１、インナーケース１３及びリアケース１５は、例えば、ネジ若しくは係合部又はその双方により互いに固定される。蓋体１７は、係合部等によりインナーケース１３若しくはリアケース１５又はその双方に着脱可能に固定される。
【００２５】
図２に示すように、キーシート１９、ＦＰＣ４３、シールドケース２１、メイン基板２３及びサブ基板アセンブリ２５は、フロントケース１１及びインナーケース１３によって、これらの部材の積層方向において挟持される。具体的には、これらの部材は、第１筐体３の長手方向の両側において、フロントケース１１とインナーケース１３の背面部１３ｖとにより挟持される。バッテリ２７は、インナーケース１３に嵌合するとともに、蓋体１７によってインナーケース１３からの脱落が防止される。
【００２６】
図３（ｂ）に示すように、壁部１３ｗのフロントケース１１側の頂部には、壁部１３ｗによって形成されるフロントケース１１側の開口を囲む溝部１３ｅが形成されている。一方、キーシート１９は、外周縁に亘って延びるパッキン部１９ｅを有している。キーシート１９は、パッキン部１９ｅが溝部１３ｅに圧入されることにより、インナーケース１３に取り付けられるとともに、インナーケース１３を密閉する。
【００２７】
また、図３（ｃ）に示すように、インナーケース１３には、蓋体１７側に、インナーケース１３の蓋体１７側の開口を囲む溝部１３ｆが形成されている。一方、蓋体１７は、蓋体１７の蓋体本体１７ａに接着され、蓋体本体１７ａの外周に沿って延びるパッキン部１７ｆを有している。蓋体１７は、パッキン部１７ｆが溝部１３ｆに圧入されることにより、インナーケース１３に取り付けられるとともに、インナーケース１３を密閉する。
【００２８】
そして、インナーケース１３、キーシート１９及び蓋体１７により形成された密閉空間には、ＦＰＣ４３、シールドケース２１、メイン基板２３、サブ基板アセンブリ２５及びバッテリ２７が収容されている。
【００２９】
フロントケース１１においては、ユーザの操作を受け付ける複数のキー３５が露出している。複数のキー３５は、例えば、フロントケース１１に設けられている。例えば、フロントケース１１は、枠状に形成されたケース本体１１ａと、ケース本体１１ａの開口を塞ぐようにケース本体１１ａに接着されたキー構成部１１ｂとを有している。キー構成部１１ｂは、比較的剛性の低い材料により形成されることにより、若しくは、肉薄に形成されることにより、又は、その双方により、ユーザの押圧に伴って容易に撓むことが可能に形成されている。そして、複数のキー３５は、キー構成部１１ｂに押圧位置を示す指標（凹凸や模様等）が形成されることにより形成されている。
【００３０】
メイン基板２３は、例えば、硬質の樹脂をベースとしたリジッド式の回路基板により構成されている。メイン基板２３は、フロントケース１１側の第１実装面２３ａと、その背面側の第２実装面２３ｂとを有している。第１実装面２３ａ及び第２実装面２３ｂには、複数の電子部品２９が設けられている。
【００３１】
複数の電子部品２９には、第２実装面２３ｂに実装されたアンテナ３１（図２）が含まれる。アンテナ３１は、例えば、概ね直方体状に形成されている。アンテナ３１は、例えば、メイン基板２３の角部に位置するアンテナ配置領域２３ｃ（図２）において、第２実装面２３ｂに半田により固定されている。アンテナ配置領域２３ｃは、メイン基板２３を平面視したときにアンテナ３１と概ね重なる領域であり、本実施形態では、直方体状のアンテナ３１に対応して矩形である。
【００３２】
第１実装面２３ａ及び第２実装面２３ｂには、各実装面を複数の領域に区画するように縦横に延びるグランドパターン層３３（図２）が形成されている。複数の電子部品２９は、グランドパターン層３３により、複数のグループに分けられている。各グループはグランドパターン層３３により囲まれている。
【００３３】
シールドケース２１は、例えば金属により形成されている。又は、シールドケース２１は、樹脂等の非導電性の基体の表面に金属層等の導電層が設けられて構成されている。シールドケース２１は、メイン基板２３の第１実装面２３ａに対向する対向面部２１ａと、対向面部２１ａから第１実装面２３ａ側へ突出する隔壁２１ｂとを有している。
【００３４】
隔壁２１ｂは、第１実装面２３ａのグランドパターン層３３と同一形状に延びている。携帯電話機１が組み立てられると、隔壁２１ｂは、グランドパターン層３３に当接する。これにより、シールドケース２１は、グランドパターン層３３と電気的に接続される。なお、シールドケース２１は、グランドパターン層３３上に実装され、シールドケース２１に当接する不図示のバネ端子や、シールドケース２１とメイン基板２３とを締結する不図示のネジにより、グランドパターン層３３と電気的に接続されてもよい。第１実装面２３ａの複数の電子部品２９は、第１実装面２３ａ、対向面部２１ａ及び隔壁２１ｂにより形成された複数の空間（部屋）に収容される。
【００３５】
シールドケース２１は、メイン基板２３の第１実装面２３ａの大部分を覆う。しかし、シールドケース２１の、アンテナ配置領域２３ｃと重なる領域には、切り欠き部２１ｃ（図２）が形成されており、シールドケース２１はアンテナ配置領域２３ｃを覆っていない。換言すれば、アンテナ配置領域２３ｃは、シールドケース２１の外方に位置している。なお、切り欠き部２１ｃの形状及び大きさは、例えば、平面視においてアンテナ配置領域２３ｃの形状及び大きさと概ね同一である。
【００３６】
ＦＰＣ４３は、概ねシールドケース２１と同様の大きさを有している。なお、切り欠き部２１ｃに重なる位置においては、ＦＰＣ４３は非配置である。ＦＰＣ４３には、複数のスイッチ４１（図３（ａ））の他、キー３５を照明するＬＥＤ等が設けられている。
【００３７】
スイッチ４１は、例えば、固定接点４５と、固定接点４５を覆う可動接点４７とを有している。可動接点４７は、ドーム状の板金により構成されており、筐体外部側からキー３５及びキーシート１９を介して押圧されると弾性変形して反転し、クリック感を生じつつ固定接点４５に当接する。
【００３８】
キーシート１９は、例えば、ゴム等の遮水性を有する（水を透さない）非導電性の弾性部材により構成されている。キーシート１９は、外周部１９ｂと、外周部１９ｂよりもフロントケース１１側へ一段高くなった中央部１９ａとを有している。なお、中央部１９ａは、フロントケース１１側においては凸となっているが、その背面側では凹となっている。
【００３９】
外周部１９ｂは、インナーケース１３、又は、インナーケース１３及びＦＰＣ４３（シールドケース２１）に支持される部分である。なお、パッキン部１９ｅは、外周部１９ｂに形成されている。中央部１９ａは、ＦＰＣ４３から離間して、複数のスイッチ４１を覆っている。中央部１９ａには、スイッチ４１の位置に、スイッチ４１側に突出する押し子１９ｇ（図３（ａ））が形成されている。ユーザの押圧力は、押し子１９ｇにより、可動接点４７の中央に集中する。
【００４０】
キーシート１９は、シールドケース２１及びＦＰＣ４３を覆うことが可能な大きさに形成されている。また、キーシート１９は、メイン基板２３のアンテナ配置領域２３ｃまで延出する延出部１９ｃを有している。延出部１９ｃには、フロントケース１１側を凹とする凹部１９ｄが形成されている。
【００４１】
図４は、フロントケース１１のケース本体１１ａを筐体内部側から見た斜視図である。ケース本体１１ａは、キーシート１９の凹部１９ｄと重なる位置に、凹部１９ｄ側に突出する突部１１ｄが形成されている。突部１１ｄは、例えば、凹部１９ｄ側に突出するリブが、凹部１９ｄの内周面と概ね同一形状（本実施形態では矩形状）に延びることにより形成されている。
【００４２】
図５は、図２のＶ−Ｖ線における第１筐体３の断面図である。
【００４３】
アンテナ３１の位置においては、紙面下方側から、インナーケース１３、弾性部材４９、アンテナ３１、メイン基板２３のアンテナ配置領域２３ｃ、キーシート１９の延出部１９ｃ、及び、フロントケース１１が積層されている。従って、アンテナ３１及びアンテナ配置領域２３ｃは、圧縮された状態の弾性部材４９及び延出部１９ｃを介して、インナーケース１３及びフロントケース１１によって挟持されている。
【００４４】
弾性部材４９は、例えば、ゴムやスポンジにより構成されており、平面視すると（メイン基板２３に直交する方向に見て）概ね、アンテナ３１と同一の形状及び大きさに形成されている。弾性部材４９は、例えば、リアケース１５の内側面に接着されている。
【００４５】
延出部１９ｃは、外周部１９ｂの一部であり、中央部１９ａに対してメイン基板２３側に突出している。そして、切り欠き部２１ｃに嵌合している。より具体的には、延出部１９ｃは、矩形状にメイン基板２３側へ突出しており、矩形の直交する２辺はそれぞれ、切り欠き部２１ｃの直交する２辺に当接している。
【００４６】
フロントケース１１の突部１１ｄは、延出部１９ｃの凹部１９ｄに挿入されて、延出部１９ｃをメイン基板２３側へ付勢している。また、突部１１ｄは、凹部１９ｄに嵌合されている。
【００４７】
図６は、携帯電話機１の信号処理系の構成の一例を示すブロック図である。
【００４８】
携帯電話機１は、ＣＰＵ７１、メモリ７３、通信処理部７５、音響処理部７７及び画像処理部７９を有している。これら各部は、メイン基板２３に設けられた電子部品２９等により構成されている。
【００４９】
ＣＰＵ７１及びメモリ７３は、キー３５を含む操作部９１等の各種手段からの信号に基づいて所定の演算を行い、画像処理部７９等の各種手段の制御を実行する制御部として機能する。
【００５０】
通信処理部７５は、電波を利用した無線通信により、通信システム（電話網やインターネット）を介した他の携帯端末装置やサーバとの通信を行う。具体的には、通信処理部７５は、ＣＰＵ７１で処理された音響データ、画像データ等の各種データを変調して、変調された信号をアンテナ部８１を介して送信する。また、通信処理部７５は、アンテナ部８１を介して受信した信号を復調し、復調したデータをＣＰＵ７１に出力する。なお、アンテナ部８１は、アンテナ３１を含んで構成されている。
【００５１】
音響処理部７７は、ＣＰＵ７１からの音響データを電気信号に変換して、その信号を、通話用のスピーカ８３、又は、報知音等を出力するスピーカ８５に出力する。スピーカ８３及びスピーカ８５は、音響処理部７７からの電気信号を音響に変換し、その音響を出力する。一方、マイクロフォン８７は、入力された音響を電気信号に変換し、その信号を音響処理部７７に出力する。音響処理部７７は、マイクロフォン８７からの電気信号を音響データに変換し、その音響データをＣＰＵ７１に出力する。
【００５２】
画像処理部７９は、ＣＰＵ７１からの画像データを画像信号に変換し、その信号を表示部９３へ出力する。また、画像処理部７９は、撮像部８９から出力される撮像信号（画像データ）を所定のフォーマットの画像データに変換し、その画像データをＣＰＵ７１へ出力する。
【００５３】
以上の実施形態によれば、携帯電話機１は、第１筐体３と、第１筐体３内に配設されたメイン基板２３と、メイン基板２３のフロントケース１１側の面（第１実装面２３ａ）に被せられたシールドケース２１とを有する。また、携帯電話機１は、シールドケース２１におけるフロントケース１１側の面に配設されたスイッチ４１と、スイッチ４１のフロントケース１１側の面に被せられたキーシート１９とを有する。さらに、携帯電話機１は、メイン基板２３のシールドケース２１の外方に位置するアンテナ配置領域２３ｃにおけるリアケース１５側の面に実装されたアンテナ３１を有する。そして、キーシート１９は、アンテナ配置領域２３ｃまで延出する延出部１９ｃを有している。従って、スイッチ４１の保護や押圧操作の好適化を図るキーシート１９が、アンテナ３１の保護も図ることになり、部品点数の削減が図られる。しかも、キーシート１９は、スイッチの押圧操作を好適にするために弾性を有することから、アンテナ３１に伝達される衝撃をキーシート１９により吸収してアンテナ３１の保護を適切に図ることができる。
【００５４】
特に、延出部１９ｃが、アンテナ配置領域２３ｃのフロントケース１１側の面（第１実装面２３ａ）に当接している場合には、キーシート１９によりメイン基板２３のフロントケース１１側への撓みを抑制することができる。その結果、半田の剥がれ等に起因するアンテナ３１のメイン基板２３からの脱落が抑制される。また、キーシート１９及び弾性部材４９によりメイン基板２３及びアンテナ３１に圧縮力を加えて、アンテナ３１のメイン基板２３からの脱落をより効果的に抑制することも可能となる。
【００５５】
シールドケース２１には、アンテナ配置領域２３ｃを露出させる切り欠き部２１ｃが形成され、延出部１９ｃは、切り欠き部２１ｃに嵌合している。従って、延出部１９ｃは、キーシート１９のシールドケース２１に対する位置決めにも利用されることになり、キーシート１９の有効利用が図られる。また、切り欠き部２１ｃによる位置決めは、２方向においてなされることから、切り欠き部２１ｃが形成されていない場合に比較して、確実に位置決めをすることができる。
【００５６】
第１筐体３は、延出部１９ｃの正面側の面に当接している。従って、フロントケース１１の内側面の高さ調整により、延出部１９ｃのメイン基板２３を付勢する力を調整することができる。
【００５７】
延出部１９ｃには凹部１９ｄが形成され、第１筐体３には凹部１９ｄに嵌合する突部１１ｄが形成されていることから、延出部１９ｃは、キーシート１９と第１筐体３との位置決めにも利用されることになる。すなわち、延出部１９ｃの有効利用が一層図られる。
【００５８】
第１筐体３は、メイン基板２３の外周を囲む壁部１３ｗを構成するインナーケース１３を有する。壁部１３ｗの正面側の頂面には壁部１３ｗに沿って延びる溝部１３ｅが形成されている。一方、キーシート１９は、遮水性を有するとともに、キーシート１９の外周に沿って延び、溝部１３ｅに圧入されたパッキン部１９ｅを有する。従って、キーシート１９は、スイッチ４１の保護及び操作の好適化、並びに、アンテナ保護の他に、第１筐体３内部の防水にも寄与することになる。従って、部材の有効利用が図られる。ここで、キーシート１９は、パッキン部１９ｅがインナーケース１３の溝部１３ｅに圧入されることから、取り外しが難しい。しかし、上述のように、延出部１９ｃに凹部１９ｄが形成されていると、凹部１９ｄに指又はピンセット等の道具を挿入して引掛け、キーシート１９を容易に取り外すことができる。
【００５９】
なお、以上の実施形態において、携帯電話機１は本発明の携帯電子機器の一例であり、第１筐体３は本発明の筐体の一例であり、メイン基板２３は本発明の回路基板の一例であり、スイッチ４１は本発明のキースイッチの一例であり、インナーケース１３は本発明のケース部材の一例である。
【００６０】
本発明は、以上の実施形態に限定されず、種々の態様で実施されてよい。
【００６１】
携帯電子機器は、携帯電話器に限定されない。例えば、携帯電子機器は、ノートパソコン、ＰＤＡ、ゲーム機、カメラであってもよい。また、携帯電子機器の筐体は、折り畳み式のものに限定されない。筐体は、一体的に構成されたもの（１つのみの筐体）であってもよいし、２以上の筐体が折り畳み式以外の方式（スライド式等）により相対移動可能に連結されたものであってもよい。
【００６２】
キーシートの延出部は、常時、回路基板のアンテナ配置領域に当接している必要はない。例えば、筐体に衝撃が加えられるなどしたときに、アンテナ配置領域に当接して、アンテナを保護してもよい。また、キーシートの延出部は、筐体が当接していなくてもよい。他の部材が当接していてもよいし、他の部材すら当接していなくてもよい。例えば、キーシート自体の曲げ変形に対する復元力によりアンテナ配置領域を支持してアンテナを保護してもよいし、衝撃が加えられたときなどしたときに、筐体や他の部材に当接して、アンテナ配置領域を支持してアンテナを保護してもよい。
【００６３】
実施形態では、延出部に凹部が形成され、筐体に突部が形成された。しかし、延出部に突部が形成され、第１ケースに凹部が形成されてもよい。また、延出部の凹部内には、キーシートの取り外しをより容易化する等の目的で、突部が設けられてもよい。
【００６４】
図７は、延出部の変形例を示す斜視図である。
【００６５】
延出部１１９ｃの凹部１１９ｄには、リブ状の突部１１９ｉが形成されている。従って、ピンセット等の道具により突部１１９ｉを摘まんで引張ることにより、キーシート１１９をインナーケース１３から取り外すことができる。従って、実施形態に比較して、キーシートの取り外し、特に、パッキン部を有するキーシートの取り外しが容易化される。
【００６６】
シールドケースは、切り欠き部が形成されていなくてもよい。例えば、キーシートの延出部は、矩形状のシールドケースの切り欠かれていない１辺から延出していてもよい。また、このとき、キーシートは、シールドケースの１辺に係合して位置決めを行う係合部が設けられていてもよいし、設けられていなくてもよい。
【図面の簡単な説明】
【００６７】
【図１】本発明の実施形態の携帯電話機を閉状態で示す外観斜視図。
【図２】図１の携帯電話機の第１筐体の分解斜視図。
【図３】図２のＩＩＩａ−ＩＩＩａ線における第１筐体の断面図及びその一部拡大図。
【図４】図２の第１筐体のフロントケースの斜視図。
【図５】図２のＶ−Ｖ線における第１筐体の断面図。
【図６】図１の携帯電話機の信号処理系の構成を示すブロック図。
【図７】本発明の変形例に係るキーシートの延出部を示す斜視図。
【符号の説明】
【００６８】
１…携帯電話機（携帯電子機器）、３…第１筐体（筐体）、１９…キーシート、１９ｃ…延出部、２１…シールドケース、２３…メイン基板（回路基板）、２３ｃ…アンテナ配置領域、３１…アンテナ、４１…スイッチ（キースイッチ）。
【図１】
2010081518.tif 000003
【図２】
2010081518.tif 000004
【図３】
2010081518.tif 000005
【図４】
2010081518.tif 000006
【図５】
2010081518.tif 000007
【図６】
2010081518.tif 000008
【図７】
2010081518.tif 000009